(57)【要約】【課題】  小型化を実現することができる分析装置を提供する。【解決手段】  分析装置１００は、測定対象である試料に測定光を照射する照射部２０と、試料が載置されるセルディスク５を保持して回転するロータ１４と、照射部２０によって照射された測定光が試料を透過した透過光を検出する受光センサ６１とを備え、照射部２０は、複数の光源７ａ，７ｂ，７ｃ，７ｄ，７ｅ，７ｆにより構成され、かつロータ１４近傍に配置されるマルチ光源７と、マルチ光源７からの光をロータ１４の方向に向けて分散させる回折格子１０と、回折格子１０によって分散された光をロータ１４の下方から試料に向けて反射させる反射ミラー１３とを有し、マルチ光源７と回折格子１０と反射ミラー１３とが略直線上に配置されている。【選択図】      図２
2005181007.tif 000002
【特許請求の範囲】
【請求項１】
測定対象である試料に測定光を照射する照射部と、
試料が載置されるディスクを保持して回転するロータと、
前記照射部によって照射された測定光が試料を透過した透過光を検出する検出部とを備え、
前記照射部は、
複数の光源により構成され、かつ前記ロータ近傍に配置されるマルチ光源と、
前記マルチ光源からの光を前記ロータの方向に向けて分散させる分散部と、
前記分散部によって分散された光を前記ロータの下方から試料に向けて反射させる反射部材とを有し、
前記マルチ光源と前記分散部と前記反射部材とが略直線上に配置されていることを特徴とする分析装置。
【請求項２】
測定対象である試料に測定光を照射する照射部と、
試料が載置されるディスクを保持して回転するロータと、
前記照射部によって照射された測定光が試料を透過した透過光を検出する検出部とを備え、
前記照射部は、
複数の光源により構成され、かつ前記ロータ近傍に配置されるマルチ光源と、
前記マルチ光源からの光を前記ロータの方向に分散させる分散部と、
前記分散部によって分散された光を前記ロータの下方から試料に向けて反射させる反射部材とを有し、
前記マルチ光源と前記分散部と前記反射部材とが略平面上に配置されていることを特徴とする分析装置。
【請求項３】
前記ロータを回転駆動させるための回転ギアと、
前記回転ギアを駆動するモータとをさらに備え、
前記照射部の少なくとも一部を前記ロータと前記回転ギアとの間に配置することを特徴とする請求項１又は２記載の分析装置。
【請求項４】
前記ロータの軸と、前記回転ギアと前記モータとの噛み合わせ部分と、前記反射部材とが略直線上かつ同一半径上に配置されていることを特徴とする請求項３記載の分析装置。
【請求項５】
前記回転ギアの径は、前記ロータの径よりも大きいことを特徴とする請求項３記載の分析装置。
【請求項６】
測定時に遮光するための遮光蓋をさらに備え、
前記検出部は、前記遮光蓋の開閉に連動して退避位置と測定位置とに移動する機構を有していることを特徴とする請求項１又は２記載の分析装置。
【請求項７】
測定時に遮光するための遮光蓋をさらに備え、
前記検出部は、前記遮光蓋に配置されていることを特徴とする請求項１又は２記載の分析装置。
【請求項８】
測定者による操作を受け付ける操作部と、
測定結果を表示する表示部とをさらに備え、
前記操作部及び／又は前記表示部が、前記遮光蓋上に配置されていることを特徴とする請求項６又は７記載の分析装置。
【発明の詳細な説明】
【技術分野】
【０００１】
本発明は、試料、特に血液等の体液に含まれる成分を分析する分析装置に関するものである。
【背景技術】
【０００２】
従来、血液中に含まれる各種成分を分析する分析装置が知られている。この分析装置では、血液に波長の異なる複数の測定光を照射し、反射光又は透過光を受光し、受光データから血液中の成分を分析する方法と、血液に測定光を照射した後、反射光又は透過光を分光し、分光した光を分析する方法とがある。
【０００３】
例えば、特許文献１の分析装置は、血液が入った毛細管をディスク上に載置し、ディスクの上方に設けられた光源により照明し、ディスクの下方に設けられた回折格子により毛細管を透過した光を分光させ、分光された光をフォトダイオードにより受光している。また、このような分析装置は、試料がディスク上に載置されるだけなので、ディスクが水平になる構造とせざるを得ない。
【特許文献１】特開平５−７２２１０号公報
【発明の開示】
【発明が解決しようとする課題】
【０００４】
近年、測定する場所を選ばず、血液等の体液の成分の分析を行いたいというニーズが高まっている。しかしながら、上記の特許文献１の分析装置では、ディスクの上方に設けられた光源により照明し、ディスクの下方に設けられた回折格子により分光しているため、装置が大型化してしまい、携帯することが困難である。
【０００５】
また、上記の特許文献１の分析装置では、ディスクの上方に光源が設けられているため、ディスクを交換する際に、光源を退避させるための機構を設ける必要があり、内部構成が煩雑となり、このことが装置の大型化の一因となっている。
【０００６】
本発明は、上記の問題を解決するためになされたもので、小型化を実現することができる分析装置を提供することを目的とするものである。
【課題を解決するための手段】
【０００７】
本発明の一構成に係る分析装置は、測定対象である試料に測定光を照射する照射部と、試料が載置されるディスクを保持して回転するロータと、前記照射部によって照射された測定光が試料を透過した透過光を検出する検出部とを備え、前記照射部は、複数の光源により構成され、かつ前記ロータ近傍に配置されるマルチ光源と、前記マルチ光源からの光を前記ロータの方向に向けて分散させる分散部と、前記分散部によって分散された光を前記ロータの下方から試料に向けて反射させる反射部材とを有し、前記マルチ光源と前記分散部と前記反射部材とが略直線上かつ同一半径上に配置されている。
【０００８】
この構成によれば、照射部によって、測定対象である試料に測定光が照射され、ロータによって、試料が載置されるディスクが保持されるとともに回転され、検出部によって、照射部によって照射された測定光が試料を透過した透過光が検出される。照射部は、複数の光源により構成され、かつロータ近傍に配置されるマルチ光源と、マルチ光源からの光をロータの方向に向けて分散させる分散部と、分散部によって分散された光をロータの下方から試料に向けて反射させる反射部材とを有しており、マルチ光源と分散部と反射部材とが略直線上かつ同一半径上に配置されている。
【０００９】
したがって、特定の波長の光を出力するマルチ光源と、マルチ光源からの光を分散させる分散部と、分散部によって分散された光をロータの下方から試料に向けて反射させる反射部材とが略直線上かつ同一半径上に配置されているので、水平面積の縮小を図ることができ、装置の小型化を実現して携帯性に優れた分析装置を提供することができる。
【００１０】
本発明の他の構成に係る分析装置は、測定対象である試料に測定光を照射する照射部と、試料が載置されるディスクを保持して回転するロータと、前記照射部によって照射された測定光が試料を透過した透過光を検出する検出部とを備え、前記照射部は、複数の光源により構成され、かつ前記ロータ近傍に配置されるマルチ光源と、前記マルチ光源からの光を前記ロータの方向に分散させる分散部と、前記分散部によって分散された光を前記ロータの下方から試料に向けて反射させる反射部材とを有し、前記マルチ光源と前記分散部と前記反射部材とが略平面上に配置されている。
【００１１】
この構成によれば、照射部によって、測定対象である試料に測定光が照射され、ロータによって、試料が載置されるディスクが保持されるとともに回転され、検出部によって、照射部によって照射された測定光が試料を透過した透過光が検出される。照射部は、複数の光源により構成され、かつロータ近傍に配置されるマルチ光源と、マルチ光源からの光をロータの方向に向けて分散させる分散部と、分散部によって分散された光をロータの下方から試料に向けて反射させる反射部材とを有しており、マルチ光源と分散部と反射部材とが略平面上に配置されている。
【００１２】
したがって、特定の波長の光を出力するマルチ光源と、マルチ光源からの光を分散させる分散部と、分散部によって分散された光をロータの下方から試料に向けて反射させる反射部材とが略平面上に配置されているので、高さ方向の長さを縮小することができ、装置の小型化を実現して携帯性に優れた分析装置を提供することができる。
【００１３】
また、上記の分析装置において、前記ロータを回転駆動させるための回転ギアと、前記回転ギアを駆動するモータとをさらに備え、前記照射部の少なくとも一部を前記ロータと前記回転ギアとの間に配置することが好ましい。
【００１４】
この構成によれば、回転ギアによって、ロータが回転駆動され、モータによって、回転ギアが駆動され、照射部の少なくとも一部がロータと回転ギアとの間に配置される。したがって、ロータと回転ギアとの間の空間を有効に利用することができ、装置の小型化を実現して携帯性に優れた分析装置を提供することができる。
【００１５】
また、上記の分析装置において、前記ロータの軸と、前記回転ギアと前記モータとの噛み合わせ部分と、前記反射部材とが略直線上かつ同一半径上に配置されていることが好ましい。この構成によれば、ロータの軸と、回転ギアとモータとの噛み合わせ部分と、反射部材とが略直線上かつ同一半径上に配置されているので、停止時のガタを減少させることができる。
【００１６】
また、上記の分析装置において、前記回転ギアの径は、前記ロータの径よりも大きいことが好ましい。この構成によれば、回転ギアの径は、ロータの径よりも大きく形成されているので、ギアの歯１つに対する誤差の影響を小さくすることができ、高精度にディスクを測定位置に停止させることができる。
【００１７】
また、上記の分析装置において、測定時に遮光するための遮光蓋をさらに備え、前記検出部は、前記遮光蓋の開閉に連動して退避位置と測定位置とに移動する機構を有していることが好ましい。
【００１８】
この構成によれば、測定時に遮光するための遮光蓋の開閉に連動して退避位置と測定位置とに検出部が移動する機構を有しているので、遮光蓋を閉じるとともに検出部を測定位置に移動させることで試料を測定することができ、遮光蓋を開くとともに検出部を退避位置に移動させることでディスクの取り外しを容易に行うことができ、操作性を向上させることができる。
【００１９】
また、上記の分析装置において、測定時に遮光するための遮光蓋をさらに備え、前記検出部は、前記遮光蓋に配置されていることが好ましい。この構成によれば、測定時に遮光するための遮光蓋に検出部が配置されているので、検出部を測定位置と退避位置とに移動させる特別の機構を必要とせず、構成を簡略化することができる。
【００２０】
また、上記の分析装置において、測定者による操作を受け付ける操作部と、測定結果を表示する表示部とをさらに備え、前記操作部及び／又は前記表示部が、前記遮光蓋上に配置されていることが好ましい。
【００２１】
この構成によれば、測定者による操作を受け付ける操作部、及び／又は測定結果を表示する表示部が、測定時に遮光するための遮光蓋上に配置されているので、操作部及び／又は表示部を別途設ける必要がなく、さらに装置を小型化することができる。
【発明の効果】
【００２２】
請求項１に記載の発明によれば、特定の波長の光を出力するマルチ光源と、マルチ光源からの光を分散させる分散部と、分散部によって分散された光をロータの下方から試料に向けて反射させる反射部材とが略直線上に配置されているので、水平面積の縮小を図ることができ、装置の小型化を実現して携帯性に優れた分析装置を提供することができる。
【００２３】
請求項２に記載の発明によれば、特定の波長の光を出力するマルチ光源と、マルチ光源からの光を分散させる分散部と、分散部によって分散された光をロータの下方から試料に向けて反射させる反射部材とが略平面上に配置されているので、高さ方向の長さを縮小することができ、装置の小型化を実現して携帯性に優れた分析装置を提供することができる。
【００２４】
請求項３に記載の発明によれば、ロータと回転ギアとの間の空間を有効に利用することができ、装置の小型化を実現して携帯性に優れた分析装置を提供することができる。
【００２５】
請求項４に記載の発明によれば、ロータの軸と、回転ギアとモータとの噛み合わせ部分と、反射部材とが略直線上かつ同一半径上に配置されているので、停止時のガタを減少させることができる。
【００２６】
請求項５に記載の発明によれば、回転ギアの径は、ロータの径よりも大きく形成されているので、ギアの歯１つに対する誤差の影響を小さくすることができ、高精度にディスクを測定位置に停止させることができる。
【００２７】
請求項６に記載の発明によれば、遮光蓋を閉じるとともに検出部を測定位置に移動させて試料を測定することができ、遮光蓋を開くとともに検出部を退避位置に移動させてディスクの取り外しを容易に行うことができ、操作性を向上させることができる。
【００２８】
請求項７に記載の発明によれば、測定時に遮光するための遮光蓋に検出部が配置されているので、検出部を測定位置と退避位置とに移動させる特別の機構を必要とせず、構成を簡略化することができる。
【００２９】
請求項８に記載の発明によれば、測定者による操作を受け付ける操作部、及び／又は測定結果を表示する表示部が、測定時に遮光するための遮光蓋上に配置されているので、操作部及び／又は表示部を別途設ける必要がなく、さらに装置を小型化することができる。
【発明を実施するための最良の形態】
【００３０】
以下、本発明に係る実施形態を図面に基づいて説明する。なお、各図において同一の構成については、同一の符号を付し、その説明を省略する。
【００３１】
（第１の実施形態）
図１は、本発明の第１の実施形態に係る分析装置の外観を示す斜視図であり、図１（ａ）は、遮光蓋を閉じた状態の分析装置の外観を示す斜視図であり、図１（ｂ）は、遮光蓋を開いた状態の分析装置の外観を示す斜視図である。
【００３２】
分析装置１００は、本体１の上面に遮光蓋２、表示部３及び操作部４が設けられている。遮光蓋２は、測定時に遮光するための蓋であり、矢印Ｙ１方向に開閉可能に構成されている。表示部３は、例えば、ＬＣＤ（液晶表示装置）等で構成され、測定結果等を表示する。操作部４は、例えば、複数の操作ボタンで構成され、ユーザによる測定の開始等の命令を受け付ける。
【００３３】
遮光蓋２の下部には、セルディスク５及び受光センサユニット６が設けられており、遮光蓋２が開かれることによって、セルディスク５が外部に露出する。
【００３４】
セルディスク５は、円形状の薄い板であり、後述するロータによって回転し、着脱可能に構成されている。セルディスク５の回転軸５ａの同心円上には、試料が載置される複数の皿部５１が設けられている。皿部５１は、測定光を透過させるために透明な部材で形成されている。
【００３５】
セルディスク５の上方には、受光センサユニット６が設けられている。受光センサユニット６は、試料を透過した透過光を検出する。受光センサユニット６の下部には、セルディスク５の皿部５１に対向する位置に受光センサ６１（図２参照）が設けられている。受光センサ６１は光電変換素子からなり、異なる波長の光を順次受光して光強度に応じた電気信号を出力するものである。なお、受光センサユニット６は、遮光蓋２と機械的に連動して退避位置と測定位置とに移動する。すなわち、受光センサユニット６は、遮光蓋２が閉じられている状態（図１（ａ）の状態）では、試料を透過した光を測定可能な測定位置に移動し、遮光蓋２が開かれている状態（図１（ｂ）の状態）では、セルディスク５が着脱可能な退避位置に移動する。なお、図１（ｂ）における受光センサユニット６は説明の便宜上、測定位置に記載されているが、実際は、矢印Ｙ２の方向の退避位置に移動する。
【００３６】
なお、本実施形態では、操作部４のみを遮光蓋２上に配置しているが、本発明は特にこれに限定されず、表示部３及び操作部４の両方を遮光蓋２上に配置してもよく、表示部３のみを遮光蓋２上に配置してもよい。このように、測定者による操作を受け付ける操作部４、及び／又は測定結果を表示する表示部３が、測定時に遮光するための遮光蓋２上に配置されているので、操作部４及び／又は表示部３を別途設ける必要がなく、装置を小型化することができる。
【００３７】
図２は、第１の実施形態における分析装置の内部構成を示す側面断面図であり、図３は、第１の実施形態における分析装置を上方から見た一部透視図である。
【００３８】
図２及び図３に示すように、分析装置１００は、セルディスク５、受光センサユニット６、複数の光源７ａ，７ｂ，７ｃ，７ｄ，７ｅ，７ｆによって構成されるマルチ光源７、マルチ光源７の複数の光源に対応してそれぞれ設けられる複数の入射スリット８（８ａ，８ｂ，８ｃ，８ｄ，８ｅ，８ｆ）、コリメータ・集光レンズ９、反射型の回折格子１０、出射スリット１１、リレーレンズ１２、反射ミラー１３、ロータ１４、回転ギア１５及びモータ１６を備えて構成される。なお、測定対象である試料に測定光を照射する照射部２０は、マルチ光源７、入射スリット８、コリメータ・集光レンズ９、回折格子１０、出射スリット１１、リレーレンズ１２及び反射ミラー１３を備えて構成される。
【００３９】
各光源７ａ，７ｂ，７ｃ，７ｄ，７ｅ，７ｆは、各入射スリット８に対応して回折格子１０による分散の角度に応じた略円弧上にそれぞれ配置され、各々測定に必要な波長帯を含む発光波長強度分布を有する光を発光する。光源７ａ，７ｂ，７ｃ，７ｄ，７ｅ，７ｆは、例えば、ハロゲンランプ、ＬＥＤ及び半導体レーザ等やこれらから放射された光を導光する光ファイバや光路棒等である。なお、本実施形態では、大きさ、発熱、寿命及びコストの点でより優れているＬＥＤが使用される。マルチ光源７は、この分析装置１００の仕様（スペック）から要求される出射光の波長数に応じて、各光源の発光波長強度分布及び光源の個数が決定される。本実施形態では、例えば６個の光源７ａ，７ｂ，７ｃ，７ｄ，７ｅ，７ｆが用意されており、それぞれ異なる波長の光を放射する。
【００４０】
各入射スリット８ａ，８ｂ，８ｃ，８ｄ，８ｅ，８ｆは、光源７ａ，７ｂ，７ｃ，７ｄ，７ｅ，７ｆから放射される光に対し、特定方向の光の拡散を抑制すると共に所望の波長純度を得るための矩形（正方形を含む）の細隙である。この抑制する方向は、入射スリット８を透過した光が入射する回折格子１０の溝方向に直角である。スリット幅は、入射スリット８を透過した光が所望の半値幅となるように波長に応じて決定される。なお、出力波長に応じて光源を配置した場合に光源同士が接近してしまい、隣接して配置することが困難である場合、図３の光源７ａのように、反射板８１を入射スリット８ａの前に設け、入射スリット８ａから出た光を反射板８１によって反射させてコリメータ・集光レンズ９に入射させてもよい。このように、光源７ａからの光を回折格子１０に向けて反射させる反射板８１をさらに備えることで、複数の光源を近接して配置することができる。
【００４１】
コリメータ・集光レンズ９は、入射スリット８から射出された光を平行光にして回折格子１０に導くと共に、回折格子１０で回折反射した光（回折光）を集光する。回折格子１０は、光学素材の表面に一方向に等間隔で平行な多数の溝を持つ分光素子であり、空間的に光を分光する。
【００４２】
なお、コリメータ・集光レンズ９及び回折格子１０の代わりに、光を反射して集光するレンズ機能と光を分光する回折格子機能とを兼ね備える凹面回折格子を用いてもよい。
【００４３】
出射スリット１１は、入射スリット８と同様に、コリメータ・集光レンズ９によって集光された光に対し、特定の分散幅の光のみを通過させると共に所望の波長純度を得るための矩形の細隙である。
【００４４】
なお、出射スリット１１の形状は、この分析装置の使用目的（測定対象物の照明形状等）によって適宜決定されるものであり、上記の矩形以外に例えば円形などが採用され得る。また、入射スリット８の形状は主として出射スリット１１の形状に応じて定められ、例えば円形などが採用され得る。
【００４５】
リレーレンズ１２は、出射スリット１１から出射した出射光を試料面に導いて結像させる。反射ミラー１３は、リレーレンズ１２を通過した光を反射し、セルディスク５の皿部５１を下方から照射する。
【００４６】
ロータ１４は、セルディスク５を保持するとともに回転させる。なお、ロータ１４には、反射ミラー１３によって反射された下方からの光を透過させるための透過孔１４１が形成されている。回転ギア１５は、ロータ１４を回転駆動させるためのものであり、ロータ１４と略同じ径の円板状のギアであり、ロータ１４と同軸で反射ミラー１３の下部に設けられる。
【００４７】
モータ１６は、回転ギア１５を駆動する。モータ１６は、モータギア１６１を備えており、モータギア１６１と回転ギア１５とは連結されており、モータギア１６１を回転させることによって、回転ギア１５が回転し、回転ギア１５に結合されているロータ１４を回転させることができる。
【００４８】
また、上述したように、受光センサユニット６は、遮光蓋２の開閉に応じて測定位置と退避位置とに移動可能に構成される。すなわち、受光センサユニット６は、矢印Ｙ３の方向に移動可能に回転軸６２で軸支されており、遮光蓋２が閉じられている状態では、付勢力により図３の実線で示す測定位置に移動して位置決めされて停止し、遮光蓋２が開いている状態では、一端６３が遮光蓋２の開放に伴って駆動されて図３の２点鎖線で示す退避位置に移動する。
【００４９】
なお、本実施形態では、回転ギア１５は、ロータ１４と略同じ径の円板状のギアであるとしているが、本発明は特にこれに限定されず、回転ギア１５の径をロータ１４の径よりも大きくしてもよい。この場合、回転ギア１５の径は、ロータ１４の径よりも大きく形成されているので、ギアの歯１つに対する誤差の影響を小さくすることができ、高精度にセルディスク５を測定位置に停止させることができる。
【００５０】
ここで、第１の実施形態における分析装置の動作について説明する。まず、モータ１６は、制御部（図示省略）より出力される制御信号により、モータギア１６１を所定の駆動量で回転させる。回転ギア１５は、モータギア１６１との歯合により回転が伝達される。回転ギア１５が回転することによって、回転ギア１５と同軸のロータ１４が回転し、ロータ１４に支持されているセルディスク５が回転する。そして、測定対象である試料が載置された皿部５１が測定位置に達すると、制御部は発光信号をマルチ光源７に出力する。マルチ光源７は制御部からの発光信号を受けて順に発光する。
【００５１】
マルチ光源７から放射された光は、入射スリット８によって抑制され、抑制された光がコリメータ・集光レンズ９に入射する。コリメータ・集光レンズ９に入射した光は、平行光となって回折格子１０に入射する。回折格子１０は入射した光を波長に応じて分散させることにより、出射スリット方向へ向かわせる。回折格子１０によって分散された光は、コリメータ・集光レンズ９に再び入射し、コリメータ・集光レンズ９によって出射スリット１１に集光される。出射スリット１１を通過した光は、リレーレンズ１２を介して反射ミラー１３に入射し、反射ミラー１３によって反射されて、光軸が略水平方向から略垂直方向に変換され、ロータ１４の透過孔１４１を通過してセルディスク５の皿部５１に結像する。そして、皿部５１の試料を透過した透過光が受光センサユニット６の受光センサ６１によって検出される。
【００５２】
図４は、第１の実施形態における分析装置の概略構成を示す模式図であり、図４（ａ）は、第１の実施形態における分析装置の概略構成を示す平面図であり、図４（ｂ）は、第１の実施形態における分析装置の概略構成を示す側面断面図である。
【００５３】
図４（ａ）及び（ｂ）に示すように、マルチ光源７と回折格子１０とリレーレンズ１２と反射ミラー１３とが略直線Ｌ上に配置されている。このように、第１の実施形態における分析装置１００では、照射部２０によって、測定対象である試料に測定光が照射され、ロータ１４によって、試料が載置されるセルディスク５が保持されるとともに回転され、受光センサ６１によって、照射部２０によって照射された測定光が試料を透過した透過光が検出される。照射部２０は、複数の光源７ａ，７ｂ，７ｃ，７ｄ，７ｅ，７ｆにより構成され、かつロータ１４近傍に配置されるマルチ光源７と、マルチ光源７からの光をロータ１４の方向に向けて分散させる回折格子１０と、回折格子１０によって分散された光をロータ１４の下方から試料に向けて反射させる反射ミラー１３とを有しており、マルチ光源７と回折格子１０と反射ミラー１３とが略直線上に配置されている。
【００５４】
したがって、特定の波長の光を出力するマルチ光源７と、マルチ光源７からの光を分散させる回折格子１０と、回折格子１０によって分散された光をロータ１４の下方から試料に向けて反射させる反射ミラー１３とが略直線上に配置されているので、水平面積の縮小を図ることができ、装置の小型化を実現して携帯性に優れた分析装置１００を提供することができる。
【００５５】
また、図４（ｂ）に示すように、マルチ光源７からの光の光軸Ｘ１と、回折格子１０によって分散された光の光軸Ｘ２とは、高さ方向に所定の角度θを有している。したがって、マルチ光源７及び入射スリット８と、出射スリット１１、リレーレンズ１２及び反射ミラー１３とを略直線Ｌ上に重ねて配置することができ、分析装置１００の幅方向の寸法Ｗを小さくすることができる。
【００５６】
さらに、図４（ｂ）に示すように、ロータ１４と回転ギア１５とを同じ軸Ａで結合することによって形成されるロータ１４と回転ギア１５との間の空間に反射ミラー１３を配置することにより、効率よく空間を利用することができ、装置の小型化を実現することができる。
【００５７】
また、回転ギア１５によって、ロータ１４が回転駆動され、モータ１６によって、回転ギア１５が駆動され、照射部２０の少なくとも一部がロータ１４と回転ギア１５との間に配置される。したがって、ロータ１４と回転ギア１５との間の空間を有効に利用することができ、装置の小型化を実現して携帯性に優れた分析装置１００を提供することができる。
【００５８】
さらに、測定時に遮光するための遮光蓋２の開閉に連動して退避位置と測定位置とに受光センサ６１が移動する機構を有しているので、遮光蓋２を閉じるとともに受光センサ６１を測定位置に移動させることで試料を測定することができ、遮光蓋２を開くとともに受光センサ６１を退避位置に移動させることでセルディスク５の取り外しを容易に行うことができ、操作性を向上させることができる。
【００５９】
（第２の実施形態）
次に、本発明の第２の実施形態について説明する。第１の実施形態では、受光センサユニット６を遮光蓋２の開閉に応じて測定位置と退避位置とに移動させ、マルチ光源７と回折格子１０とリレーレンズ１２と反射ミラー１３とを略直線Ｌ上に配置しているが、第２の実施形態では、受光センサユニット６を遮光蓋２の裏面に配置し、マルチ光源７と回折格子１０とリレーレンズ１２と反射ミラー１３とを略平面上に配置する。
【００６０】
図５は、本発明の第２の実施形態に係る分析装置の外観を示す斜視図である。なお、図５は、遮光蓋を開いた状態の分析装置の外観を示す斜視図であり、遮光蓋を閉じた状態の分析装置の外観は、図１（ａ）と同じであるので説明を省略する。
【００６１】
図５に示すように、遮光蓋２の裏面には、受光センサユニット６が配置されている。この受光センサユニット６が配置される位置は、セルディスク５の複数の皿部５１のいずれか１つと対向する位置に配置される。この場合、第１の実施形態の分析装置１００のように、遮光蓋２の開閉に応じて受光センサユニット６を移動させる機構を必要としないため、構成を簡略化することができ、さらに装置の小型化を実現することができる。
【００６２】
図６は、第２の実施形態における分析装置の概略構成を示す模式図であり、図６（ａ）は、第２の実施形態における分析装置の概略構成を示す平面図であり、図６（ｂ）は、第２の実施形態における分析装置の概略構成を示す側面断面図である。
【００６３】
第２の実施形態における分析装置２００は、セルディスク５、受光センサユニット６、複数の光源７ａ，７ｂ，７ｃ，７ｄ，７ｅによって構成されるマルチ光源７、マルチ光源７の複数の光源に対応してそれぞれ設けられる複数の入射スリット８（８ａ，８ｂ，８ｃ，８ｄ，８ｅ）、コリメータ・集光レンズ９、反射型の回折格子１０、出射スリット１１、リレーレンズ１２、反射ミラー１３、ロータ１４、回転ギア１５及びモータ１６を備えて構成される。
【００６４】
図６（ａ）及び図６（ｂ）に示すように、第２の実施形態における分析装置２００では、マルチ光源７、入射スリット８、コリメータ・集光レンズ９、回折格子１０、出射スリット１１、リレーレンズ１２及び反射ミラー１３が同一平面上に配置される。
【００６５】
なお、第２の実施形態における分析装置２００の動作は、第１の実施形態における分析装置１００の動作と同じであるので、説明を省略する。
【００６６】
このように、第２の実施形態における分析装置２００では、照射部２０によって、測定対象である試料に測定光が照射され、ロータ１４によって、試料が載置されるセルディスク５が保持されるとともに回転され、受光センサ６１によって、照射部２０によって照射された測定光が試料を透過した透過光が検出される。照射部２０は、複数の光源７ａ，７ｂ，７ｃ，７ｄ，７ｅ，７ｆにより構成され、かつロータ１４近傍に配置されるマルチ光源７と、マルチ光源７からの光を波長に応じて分散させることによりロータ１４の方向に向けて進行させる回折格子１０と、回折格子１０によって分散された光をロータ１４の下方から試料に向けて反射させる反射ミラー１３とを有しており、マルチ光源７と回折格子１０と反射ミラー１３とが略平面上に配置されている。
【００６７】
したがって、特定の波長の光を出力するマルチ光源７と、マルチ光源７からの光を分散させる回折格子１０と、回折格子１０によって分散された光をロータ１４の下方から試料に向けて反射させる反射ミラー１３とが略平面上に配置されているので、高さ方向の寸法Ｈを縮小することができ、装置の小型化を実現して携帯性に優れた分析装置２００を提供することができる。
【００６８】
第２の実施形態におけるマルチ光源７及び入射スリット８は、ロータ１４の下方に配置される。すなわち、図６（ｂ）に示すように、ロータ１４と回転ギア１５との間の空間にマルチ光源７及び入射スリット８を配置する。したがって、分析装置１００の長さ方向の寸法Ｄを小さくすることができる。
【００６９】
また、ロータ１４の回転軸Ａと、測定光を受光センサ６１に向けて反射させる反射ミラー１３と、回転ギア１５とモータギア１６１との噛み合わせ部分とは、略直線上であって、かつ回転軸Ａと噛み合わせ部分との間に反射ミラー１３が位置するよう配置されている。換言すれば、回転軸Ａに対し、反射ミラー１３と噛み合わせ部分とは同一半径方向に位置している。したがって、停止時のガタを減少させることができる。
【００７０】
なお、第１の実施形態における分析装置１００は、遮光蓋２の開閉に応じて受光センサユニット６を測定位置と退避位置とに移動させる機構を備えているが、本発明は特にこれに限定されず、第２の実施形態の分析装置２００のように遮光蓋２の裏面に受光センサユニット６を固定して配置してもよい。
【００７１】
同様に、第２の実施形態における分析装置２００は、遮光蓋２の裏面に受光センサユニット６を固定して配置しているが、本発明は特にこれに限定されず、第１の実施形態の分析装置１００のように遮光蓋２の開閉に応じて受光センサユニット６を測定位置と退避位置とに移動させる機構を備えてもよい。
【図面の簡単な説明】
【００７２】
【図１】本発明の第１の実施形態に係る分析装置の外観を示す斜視図である。
【図２】第１の実施形態における分析装置の内部構成を示す側面断面図である。
【図３】第１の実施形態における分析装置を上方から見た一部透視図である。
【図４】第１の実施形態における分析装置の概略構成を示す模式図である。
【図５】本発明の第２の実施形態に係る分析装置の外観を示す斜視図である。
【図６】第２の実施形態における分析装置の概略構成を示す模式図である。
【符号の説明】
【００７３】
１    本体
２    遮光蓋
３    表示部
４    操作部
５    セルディスク
６    受光センサユニット
７    マルチ光源
８    入射スリット
９    コリメータ・集光レンズ
１０    回折格子
１１    出射スリット
１２    リレーレンズ
１３    反射ミラー
１４    ロータ
１５    回転ギア
１６    モータ
２０    照射部
６１    受光センサ
１００    分析装置
【図１】
2005181007.tif 000003
【図２】
2005181007.tif 000004
【図３】
2005181007.tif 000005
【図４】
2005181007.tif 000006
【図５】
2005181007.tif 000007
【図６】
2005181007.tif 000008